【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
バッテリ装置であって、
互いに直列に接続される複数の第１のバッテリセルと、
第１及び第２のスイッチング回路ノードを前記複数の第１のバッテリセルの選択されたバッテリセルと選択的に結合するためのスイッチング回路と、
前記選択されたバッテリセルと第２のバッテリとの間で電荷を移動させるためのバランシング回路と、
を含み、
前記バランシング回路が、
前記第１及び第２のスイッチ回路ノードと結合される第１のバッテリ接続のペアと、
第２のバッテリと結合するための第２のバッテリ接続のペアと、
変圧器であって、
変圧器コアの周りに巻かれ、前記第１のバッテリ接続のペアと結合される第１の巻き線と、
前記変圧器コアの周りに巻かれ、前記第２のバッテリ接続のペアと結合される第２の巻き線と、
前記変圧器コアの周りに巻かれる第３の巻き線と、
を含む、前記変圧器と、
前記第３の巻き線から信号を受信するように結合される第１の整流器回路であって、前記第３の巻き線からの前記信号に従って第１の整流器出力信号を提供するように作用する、前記第１の整流器回路と、
前記第１のバッテリ接続のペアと前記第１の巻き線との間に結合される第１のトランジスタであって、第１の制御端子を含む、前記第１のトランジスタと、
前記第２のバッテリ接続のペアと前記第２の巻き線との間に結合される第２のトランジスタであって、前記第２の巻き線と前記第２のバッテリ接続のペアとの間の電流フローを可能にするために、前記第１の巻き線における電流フローに反応して、前記第２の巻き線から信号を受信するように結合される第２の制御端子を含む、前記第２のトランジスタと、
前記第１の巻き線における電流フローを可能にするために前記第１のトランジスタをオンにするように、第１のパルス信号を前記第１のトランジスタの前記第１の制御端子に提供するために、第１の状態に遷移する第１のイネーブル信号に応答する第１の制御回路であって、前記第１のトランジスタを再びオンにするために更なるパルス信号を前記第１のトランジスタの前記第１の制御端子に提供するために前記第１のイネーブル信号が前記第１の状態のままである間に、前記第２の巻き線における電流フローが閾値を下回ることを示す前記第１の整流器出力信号に応答する、前記第１の制御回路と、
を含む、バッテリ装置。
【請求項２】
請求項１に記載のバッテリ装置であって、
前記第１の制御回路が、前記第１の巻き線における電流フローが第１の閾値を超えることを示す第１の電流感知信号に応答して、前記第１のトランジスタをオフにするように作用する、バッテリ装置。
【請求項３】
請求項２に記載のバッテリ装置であって、
前記バランシング回路が、前記第１の電流感知信号を前記第１の制御回路に提供するために、前記第１のバッテリ接続のペアと前記第１の巻き線との間に結合される第１のレジスタを更に含む、バッテリ装置。
【請求項４】
請求項１に記載のバッテリ装置であって、
前記バランシング回路が、前記第１のイネーブル信号を受信し、第１の絶縁されたイネーブル信号を前記第１の制御回路に提供する第１のオプトカプラを更に含み、
前記第１の制御回路が、第１の状態に遷移する前記第１の絶縁されたイネーブル信号に応答して、前記第１のトランジスタをオンにするように作用する、バッテリ装置。
【請求項５】
請求項１に記載のバッテリ装置であって、
前記変圧器が前記変圧器コアの周りに巻かれる第４の巻き線を含み、
前記バランシング回路が、
前記第２のバッテリ接続のペアと前記第２の巻き線との間に結合される第３のトランジスタであって、第３の制御端子を含む、前記第３のトランジスタと、
前記第１のバッテリ接続のペアと前記第１の巻き線との間に結合される第４のトランジスタであって、前記第１の巻き線と前記第１のバッテリ接続のペアとの間の電流フローを可能にするために、前記第２の巻き線における電流フローに応答して、前記第１の巻き線から信号を受信するように結合される第４の制御端子を含む、前記第４のトランジスタと、
前記第４の巻き線から信号を受信するように結合される第２の整流器回路であって、前記第４の巻き線からの前記信号に従って第２の整流器出力信号を提供するように作用する、前記第２の整流器回路と、
前記第２の巻き線における電流フローを可能にするために前記第３のトランジスタをオンにするように、第２のパルス信号を前記第３のトランジスタの前記第３の制御端子に提供するために、第１の状態に遷移する第２のイネーブル信号に応答する第２の制御回路であって、前記第３のトランジスタを再びオンにするために更なるパルス信号を前記第３のトランジスタの前記第３の制御端子に提供するように前記第２のイネーブル信号が前記第１の状態のままである間に、前記第１の巻き線における電流フローが第２の閾値を下回ることを示す前記第２の整流器出力信号に応答する、前記第２の制御回路と、
を更に含む、バッテリ装置。
【請求項６】
請求項５に記載のバッテリ装置であって、
前記第２の制御回路が、前記第３のトランジスタをオフにするために、前記第２の巻き線における電流フローが第２の閾値を上回ることを示す第２の電流感知信号に応答する、バッテリ装置。
【請求項７】
請求項６に記載のバッテリ装置であって、
前記バランシング回路が、前記第２の電流感知信号を前記第２の制御回路に提供するために、前記第２のバッテリ接続のペアと前記第２の巻き線との間に結合される第２のレジスタを更に含む、バッテリ装置。
【請求項８】
請求項５に記載のバッテリ装置であって、
前記バランシング回路が、前記第２のイネーブル信号を受信し、第２の絶縁されたイネーブル信号を前記第２の制御回路に提供する第２のオプトカプラを更に含み、
前記第２の制御回路が、前記第２のトランジスタをオンにするために、第１の状態に遷移する前記第２の絶縁されたイネーブル信号に応答する、バッテリ装置。
【請求項９】
請求項５に記載のバッテリ装置であって、
前記第１の制御回路が、前記第１のバッテリ接続のペアを介して給電され、
前記第２の制御回路が、前記第２のバッテリ接続のペアを介して給電される、バッテリ装置。
【請求項１０】
請求項１に記載のバッテリ装置であって、
前記第１の制御回路が、前記第１のバッテリ接続のペアを介して給電される、バッテリ装置。
【請求項１１】
バランシング回路であって、
第１のバッテリと結合するための第１のバッテリ接続のペアと、
第２のバッテリと結合するための第２のバッテリ接続のペアと、
変圧器であって、
変圧器コアの周りに巻かれ、前記第１のバッテリ接続のペアと結合される第１の巻き線と、
前記変圧器コアの周りに巻かれ、前記第２のバッテリ接続のペアと結合される第２の巻き線と、
前記変圧器コアの周りに巻かれる第３の巻き線と、
を含む、前記変圧器と、
前記第１のバッテリ接続のペアと前記第１の巻き線との間に結合される第１のトランジスタであって、第１の制御端子を含む、前記第１のトランジスタと、
前記第２のバッテリ接続のペアと前記第２の巻き線との間に結合される第２のトランジスタであって、前記第２の巻き線とバッテリ接続の前記第２のペアとの間の電流フローを可能にするために前記第１の巻き線における電流フローに応答して前記第２の巻き線からの信号を受信するように結合される第２の制御端子と、各々が、前記第２の制御信号に結合されるゲート端子と、ボディダイオードとを有する、直列に接続される電界効果トランジスタのペアとを含み、前記直列に接続される電界効果トランジスタのペアが、前記第２の巻き線と前記第２のバッテリ接続のペアとの間の不要な電流フローを阻むように配置される、前記第２のトランジスタと、
前記第１の巻き線における電流フローを可能にするために前記第１のトランジスタをオンにするように、第１のパルス信号を前記第１のトランジスタの前記第１の制御端子に提供するために、第１の状態に遷移する第１のイネーブル信号に応答する第１の制御回路であって、前記第１のトランジスタを再びオンにするために更なるパルス信号を前記第１のトランジスタの前記第１の制御端子に提供するために、前記第１のイネーブル信号が前記第１の状態のままである間に、前記第２の巻き線における電流フローが所定の値を下回ることを示す信号に応答する、前記第１の制御回路と、
を含む、バランシング回路。
【請求項１２】
請求項１１に記載のバランシング回路であって、
前記第１の制御回路が、前記第１の巻き線における電流フローが第１の閾値を超えることを示す第１の電流感知信号に応答して、前記第１のトランジスタをオフにするように作用する、バランシング回路。
【請求項１３】
請求項１２に記載のバランシング回路であって、
前記第１の電流感知信号を前記第１の制御回路に提供するために、前記第１のバッテリ接続のペアと前記第１の巻き線との間に結合される第１のレジスタを更に含む、バランシング回路。
【請求項１４】
請求項１１に記載のバランシング回路であって、
前記第１のイネーブル信号を受信し、第１の絶縁されたイネーブル信号を前記第１の制御回路に提供する第１のオプトカプラを更に含み、
前記第１の制御回路が、前記第１の絶縁されたイネーブル信号が第１の状態に遷移することに反応して、前記第１のトランジスタをオンにするように作用する、バランシング回路。
【請求項１５】
請求項１１に記載のバランシング回路であって、
前記第３の巻き線から信号を受信するために結合され、前記第３の巻き線からの前記信号に応答して、第１の整流器出力電圧信号を前記第１の制御回路に提供するように作用する第１の整流器回路を更に含み、
前記第１の制御回路が、前記第１のトランジスタを再びオンにするために、前記更なるパルス信号を前記第１のトランジスタの前記第１の制御端子に提供するように、前記第１のイネーブル信号が前記第１の状態のままである間に、前記第２の巻き線における電流フローが所定の値を下回ることを示す前記第１の整流器出力信号に応答する、バランシング回路。
【請求項１６】
請求項１１に記載のバランシング回路であって、
前記変圧器が前記変圧器コアの周りに巻かれる第４の巻き線を更に含み、
前記バランシング回路が、
前記第２のバッテリ接続のペアと前記第２の巻き線との間に結合される第３のトランジスタであって、第３の制御端子を含む、前記第３のトランジスタと、
前記第１のバッテリ接続のペアと前記第１の巻き線との間に結合される第４のトランジスタであって、前記第１の巻き線と前記第１のバッテリ接続のペアとの間の電流フローを可能にするために、前記第２の巻き線における電流フローに応答して、前記第１の巻き線から信号を受信するように結合される第４の制御端子を含む、前記第４のトランジスタと、
前記第２の巻き線における電流フローを可能にするために前記第３のトランジスタをオンにするように、第２のパルス信号を前記第３のトランジスタの前記第３の制御端子に提供するために、第２のイネーブル信号が第１の状態に遷移することに応答する第２の制御回路であって、前記第３のトランジスタを再びオンにするために更なるパルス信号を前記第３のトランジスタの前記第３の制御端子に提供するために前記第２のイネーブル信号が前記第１の状態のままである間に、前記第１の巻き線における電流フローが閾値を下回ることを示す前記第２の整流器出力信号に応答する、第２の制御回路と、
を更に含む、バランシング回路。
【請求項１７】
請求項１６に記載のバランシング回路であって、
前記第１の制御回路が、前記第１のバッテリ接続のペアを介して給電され、
前記第２の制御回路が、前記第２のバッテリ接続のペアを介して給電される、バランシング回路。
【請求項１８】
請求項１６に記載のバランシング回路であって、
前記第１の巻き線が、第１の端部と第２の端部とセンタータップとを含み、
前記第１のトランジスタが、前記第１の巻き線の前記センタータップと、前記第１のバッテリ接続のペアの第１のバッテリ接続との間に接続され、
前記第４のトランジスタが、前記第１の巻き線の前記センタータップと、前記第１のバッテリ接続のペアの前記第１のバッテリ接続との間の前記第１のトランジスタと並列に接続され、
前記第４のトランジスタの前記第４の制御端子が、前記第１の巻き線の前記第１の端部に接続され、
前記第１のバッテリ接続のペアの第２のバッテリ接続が、前記第１の巻き線の前記第２の端部と結合され、
前記第２の巻き線が、第１の端部と第２の端部とセンタータップとを含み、
前記第３のトランジスタが、第２の巻き線の前記センタータップと、前記第２のバッテリ接続のペアの第１のバッテリ接続との間に接続され、
前記第２のトランジスタが、第２の巻き線の前記センタータップと、前記第２のバッテリ接続のペアの第１のバッテリ接続との間の前記第３のトランジスタと並列に接続され、
前記第２のトランジスタの前記第２の制御端子が、前記第２の巻き線の前記第１の端部に接続され
前記第２のバッテリ接続のペアの第２のバッテリ接続が、前記第２の巻き線の前記第２の端部と結合される、バランシング回路。
【請求項１９】
請求項１１に記載のバランシング回路であって、
前記第１の巻き線が、第１の端部と第２の端部とセンタータップとを含み、
前記第１のトランジスタが、前記第１の巻き線の前記センタータップと、前記第１のバッテリ接続のペアの第１のバッテリ接続との間に接続され、
前記第１のバッテリ接続のペアの第２のバッテリ接続が、前記第１の巻き線前記第２の端部と結合され、
前記第２の巻き線が、第１の端部と第２の端部とセンタータップとを含み、
前記第２のトランジスタが、前第２の巻き線の前記センタータップと、前記第２のバッテリ接続のペアの第１のバッテリ接続との間に接続され、
前記第２のトランジスタの前記第２の制御端子が、前記第２の巻き線の前記第１の端部に接続され、
前記第２のバッテリ接続のペアの第２のバッテリ接続が、前記第２の巻き線の前記第２の端部と結合される、バランシング回路。
【請求項２０】
バッテリ間で電荷を移動させるための回路であって、
第１のバッテリと結合される第１の巻き線と、第２のバッテリと結合される第２の巻き線と、第３の巻き線とを含む変圧器であって、前記第１、第２及び第３の巻き線が互いと磁気的に結合される、前記変圧器と、
前記第１のバッテリと前記第１の巻き線との間に結合される第１のトランジスタと、
第１の状態のイネーブル信号に応答して、前記第１の巻き線における電流フローを可能にするために電荷移動サイクルを始めるように前記第１のトランジスタをオンにし、前記第１のバッテリを放電させ、前記第２及び第３の巻き線において誘導電圧を生じさせる、ように作用する制御回路と、
前記第２のバッテリと前記第２の巻き線との間に結合される第２のトランジスタであって、前記第２のバッテリを充電するために、前記第２の巻き線と前記第２のバッテリとの間の電流フローを可能にするように、前記第２の巻き線における前記誘導電圧に応答して作用する、前記第２のトランジスタと、
前記第３の巻き線からの信号を受信し、前記第３の巻き線からの前記信号に応答して第１の整流器出力信号を出力するように結合される整流器回路と、
を含み、
前記制御回路が、第２の電荷移動サイクルを始めるために前記第１のトランジスタを再びオンにするように前記イネーブル信号が前記第１の状態のままである間に、前記第２の巻き線における電流フローが所定の値を下回ることを示す前記第３の巻き線からの信号に応答する、回路。